(57)【要約】【課題】  専用のセンサを用いることなく、写真フイルムの画像記録領域のサイズを識別する。【解決手段】  画像読取装置２の濃度検出回路３５は、プレスキャン前に読み取った画像信号から、１３５フイルム４５のフイルムベース４５ｃの濃度を取得し、プレスキャン時に、第１読み取り枠５５で規定される画像読取領域の中央部分４５ｄの濃度を検出する。ＣＰＵ３０は、濃度検出回路３５による中央部分４５ｄの濃度検出結果と、プレスキャン前に取得した１３５フイルム４５のフイルムベース４５ｃの濃度とを比較して、フルサイズに対応した画像記録領域１００、ハーフサイズに対応した画像記録領域１０１のいずれであるかを識別する。【選択図】        図２
2005198101.tif 000002
【特許請求の範囲】
【請求項１】
写真フイルムに記録された画像を読み取って画像信号を出力する撮像手段と、
前記写真フイルムを搬送経路に沿って搬送するとともに、前記写真フイルムの画像記録領域を読み取る読み取り枠が形成されたフイルムキャリアとを備えた画像読取装置において、
前記画像信号から前記写真フイルムの中央部分の濃度を検出する濃度検出手段と、
この濃度検出結果と、予め取得しておいた前記写真フイルムのフイルムベースの濃度とを比較することにより、前記画像記録領域のサイズがフルサイズ、ハーフサイズのいずれであるかを識別するサイズ識別手段とを設けたことを特徴とする画像読取装置。
【請求項２】
前記サイズ識別手段は、前記中央部分のうち９０％以上の領域の濃度が前記フイルムベースの濃度と略同一であった場合に、前記画像記録領域のサイズをハーフサイズであると識別することを特徴とする請求項１に記載の画像読取装置。
【請求項３】
前記濃度検出手段は、前記写真フイルムの連続した複数コマ分の画像信号に対して前記検出を行うとともに、
前記サイズ識別手段は、前記複数コマ分の濃度検出結果に対して前記識別を行い、識別結果が連続して複数回一致したサイズを、最終的な前記画像記録領域のサイズとして確定することを特徴とする請求項１または２に記載の画像読取装置。
【請求項４】
前記画像記録領域のサイズを操作者に選択させる選択手段を設けたことを特徴とする請求項１ないし３のいずれかに記載の画像読取装置。
【請求項５】
前記選択手段により選択された前記画像記録領域のサイズと、前記サイズ識別手段により識別された前記画像記録領域のサイズとが異なる場合に、この旨を前記操作者に通知する通知手段を設けたことを特徴とする請求項４に記載の画像読取装置。
【請求項６】
前記撮像手段は、前記ハーフサイズの写真フイルムに記録された画像を、２コマ分纏めて同時に読み取ることを特徴とする請求項１ないし５のいずれかに記載の画像読取装置。    
【請求項７】
前記撮像手段で前記ハーフサイズの写真フイルムから読み取った２コマ分の画像信号に対して、ハーフサイズからフルサイズへの変更、および前記画像データを印刷出力するプリンタに応じた変更を同時に行うための専用のデータテーブルに基づいて電子変倍処理を施す電子変倍処理手段を設けたことを特徴とする請求項６に記載の画像読取装置。
【請求項８】
前記濃度検出手段は、前記撮像手段で前記ハーフサイズの写真フイルムから読み取った２コマ分の画像信号のうち、前記写真フイルムの搬送方向上流側にあるコマの濃度を検出するとともに、
前記サイズ識別手段は、前記搬送方向上流側にあるコマの濃度検出結果が、前記フイルムベースの濃度、若しくは検出不能であった場合に、前記写真フイルムに記録されているコマの個数が奇数であると識別することを特徴とする請求項６または７に記載の画像読取装置。
【請求項９】
前記フイルムキャリアは、前記読み取り枠に停止された前記写真フイルムを平坦にする平坦化機構を備え、
前記ハーフサイズの写真フイルムに記録されているコマの個数が奇数であると前記サイズ識別手段で識別され、
且つ前記最終コマの後端から前記写真フイルムの後端までの距離が、前記ハーフサイズの写真フイルムのコマの前記搬送方向の長さよりも小さい場合、前記最終コマの後端が前記写真フイルムの幅方向に渡って前記平坦化機構に掛かる位置に停止されるように、前記写真フイルムの搬送を制御する搬送制御手段を設けたことを特徴とする請求項８に記載の画像読取装置。
【発明の詳細な説明】
【技術分野】
【０００１】
本発明は、写真フイルムに記録された画像を読み取って画像信号を出力する撮像手段と、写真フイルムを搬送経路に沿って搬送するとともに、写真フイルムの画像記録領域を読み取る読み取り枠が形成されたフイルムキャリアとを備えた画像読取装置に関する。
【背景技術】
【０００２】
複数コマが連続した写真フイルムを１コマ毎に給送して、ＣＣＤなどの撮像素子で各コマに記録された画像を読み取る画像読取装置が普及している。この画像読取装置は、写真フイルムの各コマを読み取り位置に位置決めするためのフイルムキャリアを備えている。      
【０００３】
従来の画像読取装置で、ハーフサイズの画像が記録された写真フイルムから画像を読み取る場合には、フイルムキャリアのマスクをハーフサイズ用に交換するなど、煩雑な作業を伴っていた。また、マスクの着脱機構などを設ける必要があるため、フイルムキャリアの構造が複雑化して、製造コストが嵩むという問題があった。
【０００４】
上記問題を解決するために、フルサイズのネガマスクを用いて、ハーフサイズの２コマ分をＣＣＤラインセンサで一括して読み取り、読み取ったデータを処理して２コマのデータに分離する画像読取装置が提案されている（特許文献１および２参照）。
【０００５】
特許文献１に記載の画像読取装置では、情報センサにより写真フイルムの色情報や濃度情報を計測し、写真フイルムに記録された画像コマのサイズとそれぞれのコマの位置とを求め、これにより得られた情報に基づいて、写真フイルムの画像記録領域のサイズを識別している。
【０００６】
【特許文献１】特開２０００−３０５１８４号公報
【特許文献２】特開２００１−７９６４号公報
【発明の開示】
【発明が解決しようとする課題】
【０００７】
特許文献１に記載の画像読取装置では、画像記録領域のサイズを識別するために、写真フイルムの色情報や濃度情報を読み取る情報センサを設けているが、この情報センサは、画像を読み取る撮像素子と同等の性能を有する必要があり、部品コストが嵩むという問題があった。
【０００８】
また、特許文献１に記載の画像読取装置では、プレスキャン時に上記情報を読み取り、これを元にファインスキャン後の画像補正を行っているが、プレスキャンとファインスキャンとで用いる撮像素子が異なり、個体差が生じるため、適正な画像補正を行うことが非常に困難であるという問題があった。なお、特許文献２には、画像記録領域のサイズの識別方法について、具体的な記載がなされていない。
【０００９】
本発明は、上記課題を鑑みてなされたものであり、専用のセンサを用いることなく、写真フイルムの画像記録領域のサイズを識別することができる画像読取装置を提供することを目的とする。
【課題を解決するための手段】
【００１０】
上記目的を達成するために、本発明は、写真フイルムに記録された画像を読み取って画像信号を出力する撮像手段と、前記写真フイルムを搬送経路に沿って搬送するとともに、前記写真フイルムの画像記録領域を読み取る読み取り枠が形成されたフイルムキャリアとを備えた画像読取装置において、前記画像信号から前記写真フイルムの中央部分の濃度を検出する濃度検出手段と、この濃度検出結果と、予め取得しておいた前記写真フイルムのフイルムベースの濃度とを比較することにより、前記画像記録領域のサイズがフルサイズ、ハーフサイズのいずれであるかを識別するサイズ識別手段とを設けたことを特徴とする。
【００１１】
なお、前記サイズ識別手段は、前記中央部分のうち９０％以上の領域の濃度が前記フイルムベースの濃度と略同一であった場合に、前記画像記録領域のサイズをハーフサイズであると識別することが好ましい。
【００１２】
また、前記濃度検出手段は、前記写真フイルムの連続した複数コマ分の画像信号に対して前記検出を行うとともに、前記サイズ識別手段は、前記複数コマ分の濃度検出結果に対して前記識別を行い、識別結果が連続して複数回一致したサイズを、最終的な前記画像記録領域のサイズとして確定することが好ましい。
【００１３】
なお、前記画像記録領域のサイズを操作者に選択させる選択手段を設けることが好ましく、前記選択手段により選択された前記画像記録領域のサイズと、前記サイズ識別手段により識別された前記画像記録領域のサイズとが異なる場合に、この旨を前記操作者に通知する通知手段を設けることが好ましい。
【００１４】
なお、前記撮像手段は、前記ハーフサイズの写真フイルムに記録された画像を、２コマ分纏めて同時に読み取ることが好ましく、前記撮像手段で前記ハーフサイズの写真フイルムから読み取った２コマ分の画像信号に対して、ハーフサイズからフルサイズへの変更、および前記画像データを印刷出力するプリンタに応じた変更を同時に行うための専用のデータテーブルに基づいて電子変倍処理を施す電子変倍処理手段を設けることが好ましい。      
【００１５】
また、前記濃度検出手段は、前記撮像手段で前記ハーフサイズの写真フイルムから読み取った２コマ分の画像信号のうち、前記写真フイルムの搬送方向上流側にあるコマの濃度を検出するとともに、前記サイズ識別手段は、前記搬送方向上流側にあるコマの濃度検出結果が、前記フイルムベースの濃度、若しくは検出不能であった場合に、前記写真フイルムに記録されているコマの個数が奇数であると識別することが好ましい。
【００１６】
さらに、前記フイルムキャリアは、前記読み取り枠に停止された前記写真フイルムを平坦にする平坦化機構を備え、前記ハーフサイズの写真フイルムに記録されているコマの個数が奇数であると前記サイズ識別手段で識別され、且つ前記最終コマの後端から前記写真フイルムの後端までの距離が、前記ハーフサイズの写真フイルムのコマの前記搬送方向の長さよりも小さい場合、前記最終コマの後端が前記写真フイルムの幅方向に渡って前記平坦化機構に掛かる位置に停止されるように、前記写真フイルムの搬送を制御する搬送制御手段を設けることが好ましい。
【発明の効果】
【００１７】
本発明の画像読取装置によれば、撮像手段から出力された画像信号から写真フイルムの中央部分の濃度を検出する濃度検出手段と、この濃度検出結果と、予め取得しておいた写真フイルムのフイルムベースの濃度とを比較することにより、画像記録領域のサイズがフルサイズ、ハーフサイズのいずれであるかを識別するサイズ識別手段とを設けたので、専用のセンサを用いることなく、画像記録領域のサイズを識別することができる。
【発明を実施するための最良の形態】
【００１８】
図１において、本発明を適用した画像読取装置２は、光源１０、拡散ボックス１１、フイルムキャリア１２、および撮像部１３などを備えており、これらは撮像部１３の光軸１４（図中一点鎖線で示す）上に並べて配置されている。
【００１９】
光源１０は、例えばハロゲンランプやＬＥＤからなり、ドライバ１５を介してシステムコントローラ１６により駆動制御される。この光源１０は、リフレクタ１７で囲まれている。リフレクタ１７は、光源１０からの光を反射させて、ハウジング１８に入射させる。ハウジング１８には、ＲＧＢの各色フィルタ１９が配置されている。各色フィルタ１９は、ハウジング１８に入射した光の色バランスを調整して、拡散ボックス１１に入射させる。
【００２０】
拡散ボックス１１の下面および上面には、光を拡散させる拡散板２０、２１がそれぞれ設けられている。各色フィルタ１９により色バランスを調整された光は、下面に配置された拡散板２０で拡散されて拡散ボックス１１に入射し、拡散ボックス１１の内面で反射しながら上方に導かれ、上面に配置された拡散板２１で再び拡散される。拡散ボックス１１で拡散された光は、画像の読み取り位置にセットされた１３５フイルム４５またはＩＸ２４０フイルム４６（図３参照）に向けて照射される。これにより、１３５フイルム４５またはＩＸ２４０フイルム４６が、ほぼ均一な光量で照明される。
【００２１】
撮像部１３は、レンズユニット２２と、エリアＣＣＤセンサ（ＣＣＤ）２３とを備えている。レンズユニット２２には、マスターレンズ、フレネルレンズ、補正レンズ、絞りなどの各種光学レンズが纏めて搭載されており、１３５フイルム４５またはＩＸ２４０フイルム４６を透過した光をＣＣＤ２３の撮像面上に結像させる。
【００２２】
ＣＣＤ２３は、レンズユニット２２により撮像面上に結像された画像を、電気的な撮像信号に変換して出力する。ＣＣＤ２３で出力された撮像信号は、アンプ２４で増幅された後、Ａ／Ｄコンバータ（Ａ／Ｄ）２５によりデジタル信号に変換され、システムコントローラ１６に送信される。
【００２３】
図２に示すように、システムコントローラ１６には、ＣＰＵ３０と、このＣＰＵ３０にバス３１を介して接続された画像メモリ３２と、電子変倍処理回路３３と、画像補正回路３４と、濃度検出回路３５とが設けられている。ＣＰＵ３０には、これらの回路の他に、ＣＣＤ２３で読み取った画像などを表示するモニタ３６と、各種設定項目を入力する際に操作されるキーボード３７と、各種画像処理後の画像データを印刷出力するプリンタ３８とが接続されている。
【００２４】
画像メモリ３２には、Ａ／Ｄ２５から送信されるデジタルの画像信号が格納される。電子変倍処理回路３３には、プリンタ３８のプリントサイズなどに応じて設定された電子変倍処理用のデータテーブルが、フルサイズ、ハーフサイズの画像記録領域１００、１０１（図７参照）の各々に対応して用意されており、ＣＣＤ２３で読み取った画像信号に対して、それぞれのサイズ専用のデータテーブルに基づいて電子変倍処理を施す。画像補正回路３４は、電子変倍処理後の画像データに対して、色階調補正、ハイパートーン処理、ハイパーシャープネス処理などの各種画像補正を施す。濃度検出回路３５は、ＣＣＤ２３から出力される画像信号から、その画像信号が表す濃度を検出する。なお、ハーフサイズ専用のデータテーブルは、ハーフサイズの画像データに対して、ハーフサイズからフルサイズへの変更、およびプリンタ３８のプリントサイズ、解像度などに応じた変更を同時に行うものである。
【００２５】
図３および図４において、フイルムキャリア１２は、キャリアベース４０と上カバー４１とから構成される。上カバー４１は、取り付け軸４２によりキャリアベース４０に取り付けられ、図３に示す倒伏位置と、図４に示す起立位置との間で、キャリアベース４０に対して開閉自在となっている。                                                          
【００２６】
上カバー４１は、図示しないバネにより起立位置に向けて付勢されている。キャリアベース４０には、上カバー４１を倒伏位置でロックするロック部材４３と、ロック部材４３のロックを解除する解除ボタン４４とが設けられている。解除ボタン４４を操作すると、取り付け軸４２を中心にして上カバー４１が起立位置に回転し、後述するフイルム搬送路４７、４８が露呈する。
【００２７】
キャリアベース４０と上カバー４１との間には、ストリップ形態の１３５フイルム４５を搬送する１３５フイルム搬送路４７と、ＩＸ２４０フイルム４６を搬送するＩＸ２４０フイルム搬送路４８とが、取り付け軸４２と平行に並設されている。各フイルム搬送路４７、４８は、キャリアベース４０に形成された断面コの字状の下溝４７ａ、４８ａと、上カバー４１に形成された上溝４７ｂ、４８ｂとからなる。フイルムキャリア１２は、図示しないスライド機構により、画像の読み取り位置に対してフイルム搬送路４７、４８の幅方向にスライドし、２つのフイルム搬送路４７、４８のいずれか一方が読み取り位置に選択的にセットされる。
【００２８】
１３５フイルム搬送路４７の始端には、１３５フイルム４５を挿入するためのフイルム挿入口４９が設けられている。また、ＩＸ２４０フイルム搬送路４８の始端には、ＩＸ２４０フイルム４６のカートリッジ５０が装填されるカートリッジ装填部５１が設けられている。一方、各フイルム搬送路４７、４８の終端には、画像読み取り後の各フイルム４５、４６を巻き取って一時的に収納するフイルム収納部５２が設けられている。
【００２９】
カートリッジ装填部５１の上部には、ツマミ５１ａが取り付けられている。このツマミ５１ａを持って上方に引くと、カートリッジ装填部５１が装填位置にセットされ、カートリッジ５０が装填可能となる。カートリッジ５０の装填後、ツマミ５１ａを下方に戻すと、カートリッジ装填部５１がガイド位置に戻り、カートリッジ５０のフイルム送り出し口がＩＸ２４０フイルム搬送路４８に位置決めされる。そして、カートリッジ装填部５１内に設けられたフイルム送り出し部（図示せず）により、ＩＸ２４０フイルム搬送路４８に向けてＩＸ２４０フイルム４６が送り出される。
【００３０】
各フイルム搬送路４７、４８の中程には、その下方から光源１０からの光が照射される第１、第２読み取り開口５３、５４を有する第１、第２読み取り枠５５、５６が配置されている。この第１、第２読み取り枠５５、５６では、各フイルム４５、４６を透過した光がＣＣＤ２３で撮像され、各コマの画像が読み取られる。
【００３１】
第１、第２読み取り枠５５、５６の下溝４７ａ、４８ａには、第１、第２ロアマスク５７、５８が取り付けられている。また、第１、第２ロアマスク５７、５８に対峙する上溝４７ｂ、４８ｂの位置には、第１、第２アッパマスク５９、６０が取り付けられている。なお、符号６１は操作パネルであり、フイルム送りの際に操作される。
【００３２】
図５に示すように、１３５フイルム搬送路４７には、フイルム挿入口４９から順に、第１先端検出センサ７０、第１搬送ローラ対７１、第１パーフォレーションセンサ７２、第２搬送ローラ対７３、第３搬送ローラ対７４、前述の第１読み取り開口５３を有する第１読み取り枠５５、第４搬送ローラ対７５、および第２パーフォレーションセンサ７６が配置されている。また、ＩＸ２４０フイルム搬送路４８には、カートリッジ装填部５１から順に、第５搬送ローラ対７７、第３パーフォレーションセンサ７８、磁気読み取りヘッド７９、第６搬送ローラ対８０、前述の第２読み取り開口５４を有する第２読み取り枠５６、および第７搬送ローラ対８１が配置されている。これら各部の動作は、システムコントローラ１６により統括的に制御される。                                                  
【００３３】
第１先端検出センサ７０は、フイルム挿入口４９への１３５フイルム４５の先端の挿入を検出して、この検出信号をシステムコントローラ１６に送信する。システムコントローラ１６は、送信された検出信号に基づいて、フイルム搬送モータ８２を正転駆動させる。      
【００３４】
フイルム搬送モータ８２の駆動力は、図示しないタイミングベルトやプーリを介して、第１〜第７搬送ローラ対７１、７３〜７５、７７、８０、８１に伝達される。これにより、第１〜第７搬送ローラ対７１、７３〜７５、７７、８０、８１が同期して回転し、各フイルム４５、４６を各フイルム搬送路４７、４８に引き込む。なお、以下の説明では、フイルム搬送モータ８２の正転に応じた搬送方向をＡ、逆転に応じた搬送方向をＢとする。      
【００３５】
第１〜第３パーフォレーションセンサ７２、７６、７８は、１３５フイルム４５のパーフォレーション４５ａや、ＩＸ２４０フイルム４６のパーフォレーションを検出して、この検出信号をシステムコントローラ１６に送信する。システムコントローラ１６は、送信された検出信号をカウントし、各コマの記録位置を特定する。磁気読み取りヘッド７９は、ＩＸ２４０フイルム４６の磁気記録層に記録された撮影情報を読み取ってシステムコントローラ１６に送信する。
【００３６】
フイルム収納部５２には、画像読み取り後の各フイルム４５、４６が巻き取られる巻き取り軸８３、８４が設けられている。これらの巻き取り軸８３、８４は、フイルム搬送モータ８２の駆動を利用して回転し、各フイルム４５、４６を先端から巻き取って収納する。なお、フイルム搬送モータ８２とは別個に、巻き取り専用のモータを設けてもよい。
【００３７】
図６に示すように、第１、第２読み取り枠５５、５６周辺には、圧着機構９０が設けられている。圧着機構９０は、第１、第２アッパマスク５９、６０を保持する圧着板９１と、駆動部９２とからなる。
【００３８】
駆動部９２は、ソレノイド９３と鉄片９４とからなる。ソレノイド９３は、キャリアベース４０側に取り付けられている。また、鉄片９４は、圧着板９１側のソレノイド９３の上方に対峙する位置に取り付けられている。ソレノイド９３は、鉄心９３ａと、この鉄心９３ａに巻きつけられたコイル（図示せず）とから構成されている。
【００３９】
システムコントローラ１６の制御によりコイルに通電が行われると、磁力を発生した鉄心９３ａが鉄片９４を吸着して、圧着板９１を引き寄せる。これにより、第１、第２アッパマスク５９、６０と第１、第２ロアマスク５７、５８とで、各フイルム４５、４６の対象コマが押さえ付けられる。なお、駆動部９１としては、上記のようにソレノイド９３を用いる代わりに、モータによるカム駆動などを利用してもよい。
【００４０】
画像読取装置２では、後述するプレスキャン前に、第１読み取り枠５５にセットされた１３５フイルム４５をＣＣＤ２３で読み取る。濃度検出回路３５は、このプレスキャン前に読み取った画像信号から、図７に示す１３５フイルム４５の先端４５ｂ付近のフイルムベース４５ｃの濃度を取得する。あるいは、フイルムの型番とフイルムベース４５ｃの濃度を関連付けたデータテーブルを、システムコントローラ１６内の図示しないメモリに予め格納しておき、１３５フイルム４５の型番をキーボード３７により入力させるなどして、フイルムベース４５ｃも濃度を取得してもよい。
【００４１】
濃度検出回路３５は、プレスキャン時に、第１読み取り枠５５で規定される画像読取領域の中央部分４５ｄ（図中斜線で囲む部分）の濃度を検出する。中央部分４５ｄは、１３５フイルム４５の搬送方向に関して、ＣＣＤ２３の撮像面に配列された読み取り画素の１ライン〜数ライン分の幅を有している。
【００４２】
ＣＰＵ３０は、濃度検出回路３５による中央部分４５ｄの濃度検出結果と、プレスキャン前に取得した１３５フイルム４５のフイルムベース４５ｃの濃度とを比較して、フルサイズに対応した画像記録領域１００、ハーフサイズに対応した画像記録領域１０１のいずれであるかを識別する。例えば、中央部分４５ｄのうち９０％以上の領域の濃度がフイルムベース４５ｃの濃度と略同一であった場合に、ハーフサイズであると識別する。
【００４３】
次に、上記構成を有する画像読取装置２の動作について説明する。まず、１３５フイルム４５から画像を読み取る場合には、フイルム挿入口４９から１３５フイルム４５を挿入する。１３５フイルム４５がフイルム挿入口４９に挿入されると、その先端が先端検出センサ７０に検出され、この検出信号がシステムコントローラ１６に送信される。システムコントローラ１６は、検出信号に応答してフイルム搬送モータ８２を正転駆動させる。これにより、第１〜第４搬送ローラ対７１、７３〜７５が同期して回転され、１３５フイルム４５が第１読み取り枠５５に向けて搬送される。
【００４４】
１３５フイルム４５の搬送中は、第１、第２パーフォレーションセンサ７２、７６で１３５フイルム４５のパーフォレーション４５ａが検出される。システムコントローラ１６は、第１パーフォレーションセンサ７２からフイルム頭出し分に応じた所定の検出信号を受信すると、フイルム搬送モータ８２の駆動を一旦停止させる。これにより、先頭コマが第１読み取り枠５５にセットされる。
【００４５】
先頭コマの第１読み取り枠５５へのセットが完了すると、システムコントローラ１６によりソレノイド９３のコイルに通電が行われ、磁力を発生した鉄心９３ａが鉄片９４を吸着して、圧着板９１が引き寄せられる。これにより、第１アッパマスク５９と第１ロアマスク５７とで、先頭コマが押さえ付けられる。
【００４６】
圧着機構９０が作動して１３５フイルム４５が第１アッパマスク５９と第１ロアマスク５７とにより押さえ付けられた後、ＣＣＤ２３による撮像が実行される。そして、濃度検出回路３５により、ＣＣＤ２３で撮像された画像信号のうち、１３５フイルム４５の先端４５ｂ付近のフイルムベース４５ｃの濃度が取得される。
【００４７】
フイルムベース４５ｃの濃度取得後、システムコントローラ１６からプレスキャン開始信号が送信される。このプレスキャンは、比較的粗い読み取り精度で各コマの画像を読み取り、後に行われるファインスキャンで読み取ったデータを補正するプレスキャン情報をコマ毎に算出するために行われる。プレスキャン情報は、システムコントローラ１６内の図示しないメモリに、各コマに対応付けて記憶される。
【００４８】
濃度検出回路３５では、ＣＣＤ２３から出力された画像信号から、第１読み取り枠５５で規定される画像読取領域の中央部分４５ｄの濃度が検出される。ＣＰＵ３０では、濃度検出回路３５の濃度検出結果と、プレスキャン前に取得したフイルムベース４５ｃの濃度とが比較され、フルサイズに対応した画像記録領域１００、ハーフサイズに対応した画像記録領域１０１のいずれであるかが識別される。
【００４９】
先頭コマのプレスキャン後、圧着機構９０の作動が解除され、システムコントローラ１６によりフイルム搬送モータ８２が再び正転駆動される。このとき、ＣＰＵ３０でハーフサイズであると識別された場合は、１３５フイルム４５がＡ方向に１コマ分移送される。一方、ハーフサイズであると識別された場合は、第１読み取り枠５５に２コマ分の画像が収まるように、システムコントローラ１６によりフイルム搬送モータ８２が制御される。後者の場合、第１読み取り枠５５に収まった２コマ分の画像は、ＣＣＤ２３で纏めて同時に読み取られる。以下、同様に１３５フイルム４５がＡ方向に１コマ（ハーフサイズの場合は２コマ）ずつ送られながら、各コマに対してプレスキャンが行われる。なお、プレスキャンの際には、１３５フイルム４５の先端がフイルム収納部５２の巻き取り軸８３に巻き取られ、１３５フイルム４５がフイルム収納部５２に一時的に収納される。
【００５０】
全コマのプレスキャン後、システムコントローラ１６によりフイルム搬送モータ８２の駆動が停止される。そして、フイルム搬送モータ８２が逆転駆動され、１３５フイルム４５がＢ方向に逆送される。画像読取装置２では、記憶したプレスキャン情報に基づいて、最終コマから順にファインスキャンが行われ、各コマの画像が読み取られる。全コマのファインスキャン後、１３５フイルム４５は、第１〜第４搬送ローラ対７１、７３〜７５によりＢ方向に逆送され、フイルム挿入口４９から排出される。なお、ハーフサイズであると識別された場合は、システムコントローラ１６でＣＣＤ２３から出力された２コマ分の画像が分離されて１コマずつの画像とされる。
【００５１】
プレスキャンおよびファインスキャン時、光源１０からの光は、色フィルタ１９により色バランスを調整された後、拡散ボックス１１により拡散され、第１読み取り開口５３を介して１３５フイルム４５に照射される。１３５フイルム４５を透過した光は、レンズユニット２２によりＣＣＤ２３の撮像面上に結像される。ＣＣＤ２３では、レンズユニット２２により撮像面上に結像された画像が、電気的な撮像信号に変換して出力される。ＣＣＤ２３で出力された撮像信号は、アンプ２４で増幅された後、Ａ／Ｄ２５によりデジタル信号に変換され、システムコントローラ１６に送信される。
【００５２】
システムコントローラ１６では、Ａ／Ｄ２５から送信されたデジタルの画像信号が画像メモリ３２に一旦格納される。画像メモリ３２に格納された画像データは、電子変倍処理回路３３によりそれぞれのサイズ専用のデータテーブルに基づいた電子変倍処理が施され、画像補正回路３４により各種画像補正が施される。各種画像処理後の画像データは、プリンタ３８に送信され、プリンタ３８にて印刷出力される。
【００５３】
ＩＸ２４０フイルム４６から画像を読み取る場合には、前述の１３５フイルム４５の場合と同様に、ＩＸ２４０フイルム４６をＡ方向に１コマずつ送りながらプレスキャンした後、カートリッジ５０にＩＸ２４０フイルム４６を巻き戻しながら、Ｂ方向に１コマずつ送ってファインスキャンを行い、各コマの画像を読み取る。
【００５４】
上記のような構成であると、画像の読み取りとサイズの識別とを１台のＣＣＤ２３で行うので、サイズを識別する専用のセンサを設ける必要がなく、部品コストを抑えることができる。また、第１読み取り枠５５で規定される画像読取領域の中央部分４５ｄの濃度検出結果を元にサイズの識別を行うので、全画像記録領域１００、１０１を対象とする必要がなく、短時間で識別を行うことができる。さらに、ハーフサイズ専用のデータテーブルに基づいて電子変倍処理を施すので、ハーフサイズからフルサイズへの変更、およびプリンタ３８に応じた変更を同時に行え、処理を高速化することが可能となる。
【００５５】
なお、濃度検出回路３５で１３５フイルム４５の連続した複数コマ分の画像信号に対して上記検出を行うとともに、ＣＰＵ３０で複数コマ分の濃度検出結果に対して識別を行い、識別結果が連続して複数回一致したサイズを最終的なサイズとして確定してもよい。このようにすると、誤って識別してしまう可能性を低くすることができる。
【００５６】
また、ＣＰＵ３０による識別の前に、キーボード３７により１３５フイルム４５のサイズを操作者に選択させてもよい。さらに、キーボード３７により選択されたサイズと、ＣＰＵ３０により識別されたサイズとが異なる場合、モニタ３６に警告メッセージを表示するなどして、その旨を操作者に通知してもよい。
【００５７】
なお、ＣＣＤ２３でハーフサイズの１３５フイルム４５から読み取った２コマ分の画像信号のうち、１３５フイルム４５の搬送方向上流側にあるコマの濃度を濃度検出回路３５で検出するとともに、ＣＰＵ３０により、このコマの濃度検出結果が、フイルムベース４５ｃの濃度、若しくは検出不能であった場合に、１３５フイルム４５に記録されているコマの個数が奇数であると識別してもよい。
【００５８】
ハーフサイズの１３５フイルム４５に記録されているコマの個数が奇数であるとＣＰＵ３０で識別され、且つ最終コマの後端から１３５フイルム４５の後端までの距離が、ハーフサイズの１３５フイルム４５のコマの搬送方向の長さよりも小さい場合、最終コマの後端が１３５フイルム４５の幅方向に渡って圧着板９１に掛かる位置に停止されるように、１３５フイルム４５の搬送を制御することが好ましい。すなわち、上記条件下で最終コマを第１読み取り枠５５にセットする際に、ハーフサイズの１３５フイルム４５のコマピッチで搬送する。このようにすると、圧着不良により１３５フイルム４５の平坦性が保たれず、焦点ボケや画像の歪みが発生して画質が劣化するおそれがなくなる。
【００５９】
なお、上記実施形態では、２つのフイルム搬送路４７、４８を有するフイルムキャリア１２を例として挙げたが、１つの搬送路を有するものに本発明を適用してもよい。
【図面の簡単な説明】
【００６０】
【図１】本発明を適用した画像読取装置の概略構成を示す図である。
【図２】システムコントローラの内部構成を示すブロック図である。
【図３】フイルムキャリアを示す外観斜視図である。
【図４】上カバーを開いた状態のフイルムキャリアを示す外観斜視図である。
【図５】フイルムキャリアの内部構成を示す説明図である。
【図６】圧着機構の構成を示す断面図であり、（Ａ）は圧着板が退避した状態、（Ｂ）は圧着した状態をそれぞれ示す。
【図７】フルサイズ、ハーフサイズの１３５フイルムを示す説明図である。
【符号の説明】
【００６１】
２  画像読取装置
１０  光源
１２  フイルムキャリア
１３  撮像部
１４  光軸
１６  システムコントローラ
２３  エリアＣＣＤセンサ（ＣＣＤ）
３０  ＣＰＵ
３３  電子変倍処理回路
３５  濃度検出回路
３６  モニタ
３７  キーボード
３８  プリンタ
４５  １３５フイルム
４５ｃ  フイルムベース
４５ｄ  中央部分
４６  ＩＸ２４０フイルム
５５、５６  第１、第２読み取り枠
７１、７３〜７５、７７、８０、８１  第１〜第７搬送ローラ対
８２  フイルム搬送モータ
９０  圧着機構
１００、１０１  画像記録領域
【図１】
2005198101.tif 000003
【図２】
2005198101.tif 000004
【図３】
2005198101.tif 000005
【図４】
2005198101.tif 000006
【図５】
2005198101.tif 000007
【図６】
2005198101.tif 000008
【図７】
2005198101.tif 000009